(57)【要約】【課題】主脚が下方に向かって外側に開いて、主脚の途中に天板が設置されている可搬式作業台であっても、天板を作業箇所である壁面などに接近して位置させることができ、また、上端に手摺を回動自在に設ける場合であっても、手摺の引き出しが天板上に立つ作業員の邪魔にならず、作業性の向上を図れる。【解決手段】上部が回動自在に軸着され、下方に向かって外側に傾斜する一対の梯子状の主脚３間に天板６を架設した可搬式作業台において、前記天板６は、一端を一方の主脚３に回動自在に軸着し、他端を他方の主脚３より外方に突出させ、前記一方の主脚３の上端に前記天板６の突出方向と同じ方向に突出する手摺８を主脚３内から上下方向に出没自在に取付けた。【選択図】        図１
2010126968.tif 000002
【特許請求の範囲】
【請求項１】
上部が回動自在に軸着され、下方に向かって外側に傾斜する一対の梯子状の主脚間に天板を架設した可搬式作業台において、前記天板は、一端を一方の主脚に回動自在に軸着し、他端を他方の主脚より外方に突出させ、前記一方の主脚の上端に前記天板の突出方向と同じ方向に突出する手摺を主脚内から上下方向に出没自在に取付けたことを特徴とする可搬式作業台。
【請求項２】
前記手摺は、平面コ字形に形成され、コ字形の開口部側の端部外側に案内突起を設け、この案内突起がスライドするガイド長孔を長さ方向にそって形成した係合部材を主脚内に取り付けた請求項１記載の可搬式作業台。
【請求項３】
前記一方の主脚の上端に手摺を支承する支持部材を取付け、この支持部材に手摺を固定する固定金具を取付けた請求項１または請求項２に記載の可搬式作業台。
【発明の詳細な説明】
【技術分野】
【０００１】
本発明は、建設工事現場、建築物の天井や壁面などの内外装作業、電気配線作業などの高所作業で使用する脚立状の可搬式作業台に関するものである。
【背景技術】
【０００２】
作業台として、従来、周知のように脚立があり、これは複数の踏桟を適宜間隔で取付けた梯子状の一対の主脚の上端を回動自在に軸着し、軸着部である最上段の部分に天板を設け、軸着部を回動することで一対の主脚を開閉して扁平に折り畳めるようにしている。
【０００３】
かかる脚立形状の可搬式作業台において、天板を主脚の軸着部である最上段に設けずに、これよりも少し下方位置で一対の主脚間に架設し、最上の軸着部には手摺枠を折畳み自在に軸着したものがある（例えば特許文献１参照）。
【０００４】
これは、図６にも示すように上部に手摺支柱部分４を延設した一対の支柱脚１間に踏桟２を適宜間隔で取付けて梯子状の主脚３を形成し、この主脚３の一対を対向させ上端を相互に回動自在に軸着し、支柱脚１の上部位置で主脚３間に天板６を折畳み自在に掛け渡し、手摺支柱部分４の上部に、一対の主脚３のそれぞれの外方に向けて突出する手摺５を折畳み自在に取付けたものである。
【特許文献１】特開２００５−２７３３０４号公報
【発明の開示】
【発明が解決しようとする課題】
【０００５】
前記特開２００５−２７３３０４号公報に記載の可搬式作業台の天板は、主脚間に架設され、幅が主脚間の距離に等しい。一方、主脚は上端の軸着部を中心にして下方に向かって全体がハ字状に外側に広がっているため、かかる作業台を壁面などに近接して設置した場合、上部の天板位置が壁面から離れてしまい、作業箇所に手が届きにくくなることがあり、作業性がよくない。
【０００６】
また、手摺も、使用に際しては、主脚にそって下方に向けて折畳まれていた状態から下端を引き上げるようにして回動させるものであり、作業員が天板上に立った状態でかかる作業を行うと、手摺の回動軌跡中に作業員が存在することになる。
【０００７】
このため、作業員は天板に立つ前の段階で、手摺を引き上げる作業を行うか、天板の上で手摺を出す作業をするときは手摺をよけて身をかがめるなど対処する必要があり、作業性がよくない。
【０００８】
本発明は前記従来例の不都合を解消するものとして、主脚が下方に向かって外側に開いて、主脚の途中に天板が設置されている可搬式作業台であっても、天板を作業箇所である壁面などに接近して位置させることができ、また、上端に手摺を回動自在に設ける場合であっても、手摺の引き出しが天板上に立つ作業員の邪魔にならず、作業性の向上を図れる可搬式作業台を提供するものである。
【課題を解決するための手段】
【０００９】
請求項１記載の本発明は、上部が回動自在に軸着され、下方に向かって外側に傾斜する一対の梯子状の主脚間に天板を架設した可搬式作業台において、前記天板は、一端を一方の主脚に回動自在に軸着し、他端を他方の主脚より外方に突出させ、前記一方の主脚の上端に前記天板の突出方向と同じ方向に突出する手摺を主脚内から上下方向に出没自在に取付けたことを要旨とするものである。
【００１０】
請求項１記載の本発明によれば、天板の一方の端を主脚よりも外方に突出させたから、作業箇所である壁面などに天板を近接して配置でき、安全で、作業がしやすくなる。また、主脚の上端に取付けた手摺は、主脚内から上方に引き出してから水平方向に回動すれば設置位置にくるから、天板上に作業員がいても邪魔にならない。
【００１１】
請求項２記載の本発明は、前記手摺は、平面コ字形に形成され、コ字形の開口部側の端部外側に案内突起を設け、この案内突起がスライドするガイド長孔を長さ方向にそって形成した係合部材を主脚内に取り付けたことを要旨とするものである。
【００１２】
請求項２記載の本発明によれば、手摺に設けた案内突起が係合部材に形成してあるガイド長孔にそってスライドすることで、手摺が主脚から引き出され、あるいは主脚内に収納される。そして、スライドさせて上方に引き出した後は、先端を下方に回動すればほぼ水平の所定位置にセットされる。収納するには前記と逆に動作する。
【００１３】
請求項３記載の本発明は、前記一方の主脚の上端に手摺を支承する支持部材を取付け、この支持部材に手摺を固定する固定金具を取付けたことを要旨とするものである。
【００１４】
請求項３記載の本発明によれば、主脚から引き出した手摺は、支持部材に当接する位置まで回動すれば、支持部材の上に載った状態で自動的に所定位置にセットされる。そして、この状態で固定金具で手摺を支持部材に固定すれば、手摺が固定され作業中に外れることを防止でき安全性を確保できる。
【発明の効果】
【００１５】
以上述べたように本発明の可搬式作業台は、主脚が下方に向かって外側に開いて、主脚の途中に天板が設置されている可搬式作業台であっても、天板を主脚から外方に向けて突出するようにしたから作業箇所である壁面などに接近して位置させることができ、また、主脚の上端に手摺を回動自在に設ける場合であっても、手摺を主脚内に収納可能して、ここから上方に向けて引き出し下方に回動することで所定位置にセットするようにしたから、手摺の引き出しが天板上に立つ作業員の邪魔にならず、作業性の向上を図れるものである。
【発明を実施するための最良の形態】
【００１６】
以下、図面について本発明の実施形態を詳細に説明する。図１は本発明の可搬式作業台の実施形態を示す側面図、図２は同上正面図、図３は折畳んだ状態の側面図で、本発明の可搬式作業台も従来と同様、基本構成としては上部に手摺支柱部分４を延設した一対の支柱脚１間に踏桟２を適宜間隔で取付けて梯子状の主脚３を形成した。
【００１７】
本発明では、この主脚３の一対を対向させ、一方の主脚３を長尺に、他方の主脚３をこれよりも多少短尺に形成し、長尺な主脚３の上端よりも多少下方位置に短尺な主脚３の上端を折畳金物９で回動自在に軸着した。
【００１８】
かかる支柱脚１の上部位置で主脚３間に天板６を折畳み自在に掛け渡す。天板６は、一端が長尺な主脚３に回動自在に軸着され、他端が水平の使用状態で短尺な主脚３よりも外方に突出する幅に形成する。図中７は、一端が天板６の下面に回動自在に軸着され、他端が短尺な主脚３に取付けてある踏桟２に回動自在に軸着されるアーム状のステイを示す。
【００１９】
長尺な主脚３の上端に前記天板６の突出方向と同じ方向に突出する手摺８を主脚３内から上下方向に出没自在に取付ける。
【００２０】
図４に示すように手摺８は平面コ字形に形成され、その取付構造としては、コ字形の開口部側の端部外側に案内突起１０を設け、一方、図４、図５にも示すように支柱脚１の内部にこの案内突起１０がスライドするガイド長孔１１を支柱脚１の長さ方向にそって形成した断面コ字形の係合部材１４を固定し、支柱脚１の上端は手摺８の回動および上下動が可能となるように開口に形成した。
【００２１】
また、支柱脚１の上端側部に手摺８を引き出した状態で下方から支承する支持部材１２を取付け、この支持部材１２に手摺８を固定する固定金具１３を取付ける。
【００２２】
固定金具１３は、Ｌ字形に形成され、支持部材１２に対して上下方向に回動自在に軸着されて上方の回動位置で手摺８に被さるように構成される。
【００２３】
なお、手摺８の突出方向の長さは、突出端部が前記天板６の突出端部とほぼ同じ位置となるように設定する。また、手摺８は、突出状態で先端が僅かに上向きとなるように支持部材１２の上面を先端に向けて例えば約７度程度上向きとなるように傾斜させる。
【００２４】
次に使用法について説明する。不使用時には図３に示すように長尺な主脚３と短尺な主脚３は折畳金物９を中心軸として平行に折畳まれている。この状態で、開き止め金具７と天板６は、一端がそれぞれの主脚３との回動軸着部を介して回動し、長尺な主脚３と短尺な主脚３との間で他端が上方に移動して扁平に折畳まれている。
【００２５】
また、固定金具１３は下方に回動した状態で支持部材１２の上から外れ、手摺８は、案内突起１０がガイド長孔１１にそって下方に移動し、支柱脚１の内部に収納された状態にある。
【００２６】
この状態から作業台を使用するには、長尺および短尺な主脚３を折畳金物９を介して図１において左右に回動し全体をハ字状に広げれば、主脚３の広がりに追随して天板６とステイ７もそれぞれの主脚３との軸着部を中心にして下方に回動し、長尺および短尺な主脚３，３の間で水平位置まで移動する。
【００２７】
この水平位置で天板６は、途中が主脚３に設けてある踏桟２を使用した天板受け材の上に載置し、この天板受け材で下方から支承される。そして、天板６は、回動軸着部とは反対側の先端が主脚３よりも外方に突出するから、壁面などの作業箇所に近接して天板６を位置させることができ、作業性の向上が図れる。
【００２８】
また、対向する主脚３，３は、一方を長尺に他方を短尺に形成してあるから、上部の回動軸着部が長尺な主脚３の上端に位置せず、これよりも下方位置となるから、長尺な主脚３に短尺な主脚３が寄りかかるような状態となり、対向する主脚を上端で軸着する場合に比較して安定性を増すことができる。
【００２９】
次に手摺８をセットする方法を説明する。支柱脚１の内部に収納されている手摺８を支柱脚１にそって上方にスライドさせて引き上げる。手摺８の開口端部が支柱脚１の上端まで引き上げられたならば、下端を軸にして手摺８を下方の水平方向に回動する。
【００３０】
略水平位置で手摺８は支柱脚１に取付けてある支持部材１２の上に当接し、それ以上の回動が阻止されてこの略水平位置に係止される。次に、固定金具１３を上方に回動し、手摺８の上に被せるようにすれば、手摺８が支持部材１２の上、すなわち支柱脚１の上端部に固定される。
【００３１】
よって、作業中に手摺８が外れるおそれがなく、作業の安全を確保できる。また、手摺８のセットは、上方への引き出しと、水平方向への回動とで行えるから、天板６上に載っている作業員の邪魔になることもない。
【００３２】
そして、手摺８は、主脚１から外方水平方向に突出している天板６の上方に位置するから、天板６の突出部分に載って作業する作業員の安全を確保できる。
【図面の簡単な説明】
【００３３】
【図１】本発明の可搬式作業台の実施形態を示す側面図である。
【図２】本発明の可搬式作業台の実施形態を示す正面図である。
【図３】本発明の可搬式作業台の実施形態を示す折畳んだ状態の側面図である。
【図４】本発明の可搬式作業台の実施形態を示す要部である手摺部分の縦断側面図である。
【図５】本発明の可搬式作業台の実施形態を示す手摺の取付け部の横断平面図である。
【図６】従来の可搬式作業台の斜視図である。
【符号の説明】
【００３４】
１  支柱脚                      ２  踏桟
３  主脚                        ４  手摺支柱部分
５  手摺                        ６  天板
７  ステイ                      ８  手摺
９  折畳金物                    １０  案内突起
１１  ガイド長孔                １２  支持部材
１３  固定金具                  １４  係合部材
【図１】
2010126968.tif 000003
【図２】
2010126968.tif 000004
【図３】
2010126968.tif 000005
【図４】
2010126968.tif 000006
【図５】
2010126968.tif 000007
【図６】
2010126968.tif 000008